(57)【要約】本発明に係るボルト・ナットの緩み止め具は、ボルトの脚部に形成されたネジ溝と嵌合する内側コイルバネと、ボルトに装着されたナットに係合する外側コイルバネとを備える。
2003095850.tif 000002
【特許請求の範囲】
【請求項１】
ボルトの脚部に形成されたネジ溝と嵌合する内側コイルバネと、
前記ボルトに装着されたナットに係合する外側コイルバネとを備える
ことを特徴とするボルト・ナットの緩み止め具。
【請求項２】
前記内側コイルバネは、一定の方向に回された場合に嵌合するボルトの脚部から基端部に向けて嵌り込む如く巻回され、
前記外側コイルバネは、前記内側コイルバネの基端部より連続して伸設されると共に、
前記内側コイルバネの外周に巻回された
ことを特徴とする請求項１に記載のボルト・ナットの緩み止め具。
【請求項３】
前記内側コイルバネは、ボルトの脚部の外径よりも小さな内径である
ことを特徴とする請求項１に記載のボルト・ナットの緩み止め具。
【請求項４】
前記内側コイルバネは、ボルトの脚部の外径よりも小さな内径である
ことを特徴とする請求項２に記載のボルト・ナットの緩み止め具。
【請求項５】
前記外側コイルバネは、前記内側コイルバネと同方向に巻回された
ことを特徴とする請求項１、請求項２、請求項３または請求項４に記載のボルト・ナットの緩み止め具。
【発明の詳細な説明】
技術分野
本発明は、ボルト・ナットの緩み止め具に関する。特に、コイルバネを利用したナットの緩みや落下を防止するボルト・ナットの緩み止め具に係るものである。
背景技術
構造物の固定に広く用いられているボルト・ナットによる締付けに関し、ナットの緩み止め構造として、特開２００１−５９５１４号公報に示されるような構造のものがある。これは、図１に示すようにナット１０１が取り付けられたボルトの脚部１０２にボルトの外径よりも小さなコイルバネ１０３がボルトのネジ溝に嵌り込むように装着されたものであり、コイルバネ１０３はネジ溝を埋めるように嵌り込み、コイルバネ１０３の各部分は弾性力によりボルトの脚部１０２の軸中心に向かって押しつけられる。
その結果、コイルバネ１０３とネジ溝の内側との接触部は圧迫され、強い摩擦力が生じ、コイルバネ１０３はボルトの脚部１０２のネジ溝に固定される。
このため、緩み止めしたいナット１０１に隣接した位置でコイルバネ１０３をボルトの脚部１０２に装着しておくと、ナット１０１は所定の部分で回転が阻止され緩まないようになるという構造のものである。
しかしながら、上記特開２００１−５９５１４号公報に示されるナットの緩み止め構造は、コイルバネが緩み止めをしたいナットの近傍にしっかりと固定されていればそれなりの緩み止め効果を奏するが、長期に亘って振動を受けたり何かがぶつかる等の衝撃をうけたりするとコイルバネが緩み、それに伴ってナットも緩むという不都合があった。
発明の開示
本発明は、以上の点に鑑みて創案されたものであって、ナットが螺合されたボルトの脚部に簡単な作業で取り付けることができ、長期に亘ってナットの緩みを確実に抑制することができるボルト・ナットの緩み止め具を提供することを目的とするものである。
上記の目的を達成するために、本発明に係るボルト・ナットの緩み止め具は、ボルトの脚部に形成されたネジ溝と嵌合する内側コイルバネと、前記ボルトに装着されたナットに係合する外側コイルバネとを備える。
ここで、ボルトの脚部に形成されたネジ溝と嵌合する内側コイルバネによって、ナットの回転が阻止され、ナットが緩みを抑制することができる。
また、ボルトに装着されたナットに係合する外側コイルバネによって、ナットに対して常時締結方向にトルクを与えることができる。
発明を実施するための最良の形態
以下、本発明の実施の形態を図面を参照しながら説明し、本発明の理解に供する。
図２に本発明を適用したボルト・ナットの緩み止め具の一例を示す斜視図を示す。ここで示すボルト・ナットの緩み止め具１は内側コイルバネ２と外側コイルバネ３とからなる。
ここで、内側コイルバネは先端部４（図２中下方）より基端部５（図２中上方）へ向けて、図２中符号Ａで示す内側コイルバネの内径が嵌合するボルトの脚部の外径よりも小さな径で形成されると共に、図２中符号Ｂで示す時計方向に回された際にボルトの脚部から基端部に向けて嵌り込むような方向に巻回されている。
また、外側コイルバネは、内側コイルバネの基端部から連続的に伸設され、内側コイルバネの外周を内側コイルバネの巻回方向と同方向に巻回されると共に、外側コイルバネの先端部６は係合するナット７の形状である六角形状に形成されている。
ここで、内側コイルバネは、ボルトの脚部８に形成されたネジ溝と嵌合することによって、ナットの回転が阻止され、ナットの緩みを抑制することができれば充分であり、必ずしも内側コイルバネがボルトの脚部の外径よりも小さな内径、即ち、内側コイルバネを強いて拡径した場合に嵌合するボルトの脚部のネジ溝に嵌り込み、内側コイルバネの各部分がバネの有する弾性力によりボルトの脚部の軸中心に向かって押しつけられる程度の内径を有する必要性は無いが、内側コイルバネがボルトの脚部の外径よりも小さな内径を有することによって容易にナットの緩みを抑制することができるため、内側コイルバネはボルトの脚部の外径よりも小さな内径となるように形成された方が好ましい。
同様に、内側コイルバネはネットの緩みを抑制することができれば充分であり、必ずしも図２中符号Ｂで示す時計方向に回された際にボルトの脚部から基端部に向けて嵌り込むような方向に巻回される必要性は無い。即ち、ボルトのネジ溝の形成される方向によって、内側コイルバネの巻回される方向は決定されるものであり、必ずしも図２に示す巻回方向に限定されるものではないことは勿論である。
また、外側コイルバネは、ナットに対して常時締結方向にトルクを与えることによってナットの緩みを抑制することができれば充分であり、必ずしも内側コイルバネと同方向に巻回される必要性は無く、ナットに対して常時締結方向にトルクを与えることができるのであれば、内側コイルバネとは逆方向に巻回されていても構わないが、一般にコイルバネには耐久性等の観点からコイルバネの径が小さくなるような方向に応力が与えられるために、外側コイルバネは内側コイルバネと同方向に巻回された方が好ましい。
なお、外側コイルバネの先端部が六角形状に形成されたのは、ナット７との係合を強固にしより一層のナットの緩みを防止するためであり、必ずしも外側コイルバネの先端部は六角形状に形成される必要は無い。即ち、ナットとの係合を強固にすることが可能である形状であれば、いかなる形状であっても構わない。
以下、上記のように構成された本発明を適用したボルト・ナットの緩み止め具の一例におけるボルト・ナットの緩み止め方法についてその使用例を示す図３を用いて説明する。
本発明を適用したボルト・ナットの緩み止め具の一例では、先ず、内側コイルバネ２をその先端部４からナットの７を螺合したボルトの脚部８へねじ込み、先端部５がナット７に当接してそれ以上進まなくなる迄装着する。
次に、外側コイルバネの先端部６をその巻回方向、即ち、ボルトの脚部８への装着方向とは反対方向（図３中符号Ｃで示す方向）にある程度戻回せしめ、外側コイルバネの先端部６をナット７に係合せしめる。
本発明を適用したボルト・ナットの緩み止め具では、内側コイルバネはネジ溝を埋めるように嵌り込み、内側コイルバネのもつ弾性力によりボルトの脚部８の軸中心に向かって押さえ付けられ、内側コイルバネとネジ溝の内側の接触部が圧迫され強い摩擦力が生じることによって、内側コイルバネはボルトの脚部のネジ溝に固定される。
従って、緩み止めをしたいナットに隣接した位置で内側コイルバネをボルトの脚部に装着することにより、内側コイルバネが緩まない限りナットは所定に部分で回転が阻止されナットの緩みが抑制される。
また、内側コイルバネをボルトの脚部の先端部から基端部側へ嵌め込み、その後に外側コイルバネの先端部を外側コイルバネの巻回方向とは反対方向にある程度戻回せしめ、かかる状態で外側コイルバネの先端部をナットに係合せしめることにより、外側コイルバネは復元力で巻回方向へ戻ろうとしてナットに装着方向（締結方向）のトルクを与えることとなる。
従って、ナットに対して外側コイルバネにより装着方向のトルクを与えることができるために、ナットは常時締結方向へのトルクを受けていることとなり、外側コイルバネによってナット及び内側コイルバネの緩みが抑制される。
なお、外側コイルバネが与えるトルクの大きさは、外側コイルバネの先端部を外側コイルバネの巻回方向と反対方向にどの程度戻回せしめたかに依るものである。
このように、本発明を適用したボルト・ナットの緩み止め具では、内側コイルバネと外側コイルバネのそれぞれの作用・効果が相俟って確実にそして長期に亘ってボルト・ナットの緩みを抑制することができるものである。
また、本発明を適用したボルト・ナットの緩み止め具では、全体が１本の弾性材により構成されているので、その製造が簡単であり、さらには予め内側コイルバネの内径を嵌合せしめるボルトの外径にあわせて製造すると共に、外側コイルバネの基端部の大きさを係合せしめるナットにあわせて製造することによって、内側コイルバネをボルトの脚部にねじ込んだ後に外側コイルバネの基端部をある程度ひねって係合させるという極めて簡単な操作により使用することができる。
産業上の利用可能性
以上述べてきた如く、本発明のボルト・ナットの緩み止め具によれば、ナットが螺合されたボルトの脚部に簡単な作業で取り付けることができ、長期に亘ってナットの緩みを確実に抑制することができる。
【図面の簡単な説明】
図１は、従来のボルト・ナットの緩み止め具の斜視図である。
図２は、本発明を適用したボルト・ナットの緩み止め具の一例を説明するための斜視図である。
図３は、本発明を適用したボルト・ナットの緩み止め具の一例の使用例を示す斜視図である。
【図１】
2003095850.tif 000003
【図２】
2003095850.tif 000004
【図３】
2003095850.tif 000005
【手続補正書】
【提出日】平成16年1月21日(2004.1.21)
【手続補正１】
【補正対象書類名】特許請求の範囲
【補正対象項目名】全文
【補正方法】変更
【補正の内容】
【特許請求の範囲】
【請求項１】
ボルトの脚部に形成されたネジ溝と嵌合する内側コイルバネと、
前記ボルトに装着されたナットに係合する外側コイルバネとを備え、
前記内側コイルバネは、前記外側コイルバネと逆方向に巻回された
ことを特徴とするボルト・ナットの緩み止め具。
【請求項２】
前記内側コイルバネは、一定の方向に回された場合に嵌合するボルトの脚部から基端部に向けて嵌り込む如く巻回され、
前記外側コイルバネは、前記内側コイルバネの基端部より連続して伸設されると共に、
前記内側コイルバネの外周に巻回された
ことを特徴とする請求項１に記載のボルト・ナットの緩み止め具。
【請求項３】
前記内側コイルバネは、ボルトの脚部の外径よりも小さな内径である
ことを特徴とする請求項１に記載のボルト・ナットの緩み止め具。
【請求項４】
前記内側コイルバネは、ボルトの脚部の外径よりも小さな内径である
ことを特徴とする請求項２に記載のボルト・ナットの緩み止め具。
【請求項５】
（削除）
【手続補正２】
【補正対象書類名】明細書
【補正対象項目名】０００２
【補正方法】変更
【補正の内容】
【０００２】
しかしながら、上記特開２００１−５９５１４号公報に示されるナットの緩み止め構造は、コイルバネが緩み止めをしたいナットの近傍にしっかりと固定されていればそれなりの緩み止め効果を奏するが、長期に亘って振動を受けたり何かがぶつかる等の衝撃をうけたりするとコイルバネが緩み、それに伴ってナットも緩むという不都合があった。
発明の開示
本発明は、以上の点に鑑みて創案されたものであって、ナットが螺合されたボルトの脚部に簡単な作業で取り付けることができ、長期に亘ってナットの緩みを確実に抑制することができるボルト・ナットの緩み止め具を提供することを目的とするものである。
上記の目的を達成するために、本発明に係るボルト・ナットの緩み止め具は、ボルトの脚部に形成されたネジ溝と嵌合する内側コイルバネと、前記ボルトに装着されたナットに係合する外側コイルバネとを備え、前記内側コイルバネは、前記外側コイルバネと逆方向に巻回している。
ここで、ボルトの脚部に形成されたネジ溝と嵌合する内側コイルバネによって、ナットの回転が阻止され、ナットが緩みを抑制することができる。
また、ボルトに装着されたナットに係合する外側コイルバネによって、ナットに対して常時締結方向にトルクを与えることができる。
図面の簡単な説明
図１は、従来のボルト・ナットの緩み止め具の斜視図である。
図２は、本発明を適用したボルト・ナットの緩み止め具の一例を


【手続補正３】
【補正対象書類名】明細書
【補正対象項目名】０００３
【補正方法】変更
【補正の内容】
【０００３】
説明するための斜視図である。
図３は、本発明を適用したボルト・ナットの緩み止め具の一例の使用例を示す斜視図である。
発明を実施するための最良の形態
以下、本発明の実施の形態を図面を参照しながら説明し、本発明の理解に供する。
図２に本発明を適用したボルト・ナットの緩み止め具の一例を示す斜視図を示す。ここで示すボルト・ナットの緩み止め具１は内側コイルバネ２と外側コイルバネ３とからなる。
ここで、内側コイルバネは先端部４（図２中下方）より基端部５（図２中上方）へ向けて、図２中符号Ａで示す内側コイルバネの内径が嵌合するボルトの脚部の外径よりも小さな径で形成されると共に、図２中符号Ｂで示す時計方向に回された際にボルトの脚部から基端部に向けて嵌り込むような方向に巻回されている。
また、外側コイルバネは、内側コイルバネの基端部から連続的に伸設され、内側コイルバネの外周を内側コイルバネの巻回方向と逆方向に巻回されると共に、外側コイルバネの先端部６は係合するナット７の形状である六角形状に形成されている。
ここで、内側コイルバネは、ボルトの脚部８に形成されたネジ溝と嵌合することによって、ナットの回転が阻止され、ナットの緩みを抑制することができれば充分であり、必ずしも内側コイルバネがボルトの脚部の外径よりも小さな内径、即ち、内側コイルバネを強いて拡径した場合に嵌合するボルトの脚部のネジ溝に嵌り込み、内側コイルバネの各部分がバネの有する弾性力によりボルトの脚部の


【手続補正４】
【補正対象書類名】明細書
【補正対象項目名】０００４
【補正方法】変更
【補正の内容】
【０００４】
軸中心に向かって押しつけられる程度の内径を有する必要性は無いが、内側コイルバネがボルトの脚部の外径よりも小さな内径を有することによって容易にナットの緩みを抑制することができるため、内側コイルバネはボルトの脚部の外径よりも小さな内径となるように形成された方が好ましい。
同様に、内側コイルバネはネットの緩みを抑制することができれば充分であり、必ずしも図２中符号Ｂで示す時計方向に回された際にボルトの脚部から基端部に向けて嵌り込むような方向に巻回される必要性は無い。即ち、ボルトのネジ溝の形成される方向によって、内側コイルバネの巻回される方向は決定されるものであり、必ずしも図２に示す巻回方向に限定されるものではないことは勿論である。
なお、外側コイルバネの先端部が六角形状に形成されたのは、ナット７との係合を強固にしより一層のナットの緩みを防止するためであり、必ずしも外側コイルバネの先端部は六角形状に形成される必要は無い。即ち、ナットとの係合を強固にすることが可能である形状であれば、いかなる形状であっても構わない。
以下、上記のように構成された本発明を適用したボルト・ナット




【国際調査報告】
2003095850.tif 000006
2003095850.tif 000007